(57)【特許請求の範囲】
【請求項１】
監視領域内の異常を検知した場合に、識別情報を含む検知信号を送信する複数の検知装置に接続された監視装置であって、
前記複数の検知装置の点検を行う際に、前記複数の検知装置の中で点検対象の検知装置の設定を行う設定部と、
前記複数の検知装置のそれぞれから前記検知信号を受信する通信部と、
受信した検知信号に含まれる識別情報が、前記点検対象の識別情報と一致するか否かを判断する判断部と、
前記受信した検知信号に含まれる識別情報が、前記点検対象の識別情報と一致する場合に、前記点検対象の検知装置の点検結果が正常と判断し、前記受信した検知信号に含まれる識別情報が、前記点検対象の識別情報と異なる場合には、前記受信した検知信号を無視する点検部と、
前記点検対象の検知装置の設定時点から、所定時間を計時するタイマと、を備え、
前記判断部は、前記所定時間の経過前は、前記検知信号を受信しても、受信した検知信号を無視すること、
を特徴とする監視装置。
【請求項２】
前記設定部は、点検対象の複数の検知装置および該点検の順番の設定を行い、
前記タイマは、前記点検対象の複数の検知装置のそれぞれの点検開始の時点から前記所定時間を計時し、
前記判断部は、前記点検対象の複数の検知装置の点検開始から前記所定時間の経過前は、前記検知信号を受信しても、受信した検知信号を無視すること、
を特徴とする請求項１に記載の監視装置。
【請求項３】
監視装置と、前記監視装置と双方向で通信可能に接続され、監視領域内の異常を検知した場合に、識別情報を含む検知信号を送信する複数の検知装置とを備えた監視システムであって、
前記監視装置は、
前記複数の検知装置の点検を行う際に、前記複数の検知装置の中で点検対象の１または複数の検知装置および点検順番の設定を行う設定部と、
点検を行う際に、前記点検順番で、順次、前記点検対象の検知装置に対して点検対象である旨を送信するとともに、前記複数の検知装置のそれぞれから前記検知信号を受信する通信部と、
受信した検知信号に含まれる識別情報が、前記点検対象の識別情報と一致するか否かを判断する判断部と、
前記受信した検知信号に含まれる識別情報が、前記点検対象の識別情報と一致する場合に、前記点検対象の検知装置の点検結果が正常と判断し、前記受信した検知信号に含まれる識別情報が、前記点検対象の識別情報と異なる場合には、前記受信した検知信号を無視する点検部と、を備え、
前記検知装置は、
監視領域内の異常を検知するセンサと、
点灯部と、
前記監視装置から点検対象である旨を受信した場合に、前記点灯部を点灯させる制御部と、
を備えたことを特徴とする監視システム。
【請求項４】
監視装置と、前記監視装置と双方向で通信可能に接続され、監視領域内の異常を検知した場合に、識別情報を含む検知信号を送信する複数の検知装置とを備えた監視システムであって、
前記監視装置は、
前記複数の検知装置の点検を行う際に、前記複数の検知装置の中で点検対象の検知装置の設定を行う設定部と、
前記点検対象の検知装置に対して点検開始の旨または所定の制御信号を送信し、前記複数の検知装置のそれぞれから前記検知信号を受信する通信部と、
受信した検知信号に含まれる識別情報が、前記点検対象の識別情報と一致するか否かを判断する判断部と、
前記受信した検知信号に含まれる識別情報が、前記点検対象の識別情報と一致する場合に、前記点検対象の検知装置の点検結果が正常と判断し、前記受信した検知信号に含まれる識別情報が、前記点検対象の識別情報と異なる場合には、前記受信した検知信号を無視する点検部と、を備え、
前記検知装置は、
監視領域内の異常を検知するセンサと、
点灯部と、
前記監視装置から点検開始の旨を受信し、かつ前記センサが異常を検知した場合に、前記点灯部を点灯させ、前記監視装置から前記制御信号を受信した場合に、前記制御信号に基づく制御を行う制御部と、
を備えたことを特徴とする監視システム。
【請求項５】
前記検知装置の前記制御部は、前記監視装置から前記制御信号として、前記監視装置の現在の警備モードを受信した場合において、前記警備モードが警備設定モードである場合には、前記センサが異常を検知すると前記検知信号を前記監視装置に送信し、前記警備モードが警備解除モードである場合には、前記センサが異常を検知しても前記検知信号を前記監視装置に送信しない制御を行うこと
を特徴とする請求項４に記載の監視システム。
【請求項６】
監視領域内の異常を検知した場合に、識別情報を含む検知信号を送信する複数の検知装置に接続された監視装置で実行される点検方法であって、
設定部が、前記複数の検知装置の点検を行う際に、前記複数の検知装置の中で点検対象の検知装置の設定を行う設定ステップと、
通信部が、前記複数の検知装置のそれぞれから前記検知信号を受信する通信ステップと、
タイマが、前記点検対象の検知装置の設定時点から、所定時間を計時する計測ステップと、
判断部が、受信した検知信号に含まれる識別情報が、前記点検対象の識別情報と一致するか否かを判断すると共に、前記所定時間の経過前は、前記検知信号を受信しても、受信した検知信号を無視する判断ステップと、
点検部が、前記受信した検知信号に含まれる識別情報が、前記点検対象の識別情報と一致する場合に、前記点検対象の検知装置の点検結果が正常と判断し、前記受信した検知信号に含まれる識別情報が、前記点検対象の識別情報と異なる場合には、前記受信した検知信号を無視する点検ステップと、
を含むことを特徴とする点検方法。
【発明の詳細な説明】
【技術分野】
【０００１】
本発明は、監視装置、監視システム及び点検方法に関する。
【背景技術】
【０００２】
センサからの検知信号が制御装置に正常に送信されるかを点検するための従来技術として、種々の技術が知られている。
【０００３】
例えば、特許文献１、特許文献２の技術では、制御装置において保守作業であることを登録したり、あるいは点検モードへの切り替えを行うと、どのセンサから検知信号が送られてきたかを履歴情報として蓄積している。そして、点検作業開始後、点検対象のセンサを作動させる。例えば、点検対象のセンサが人体検知センサの場合には、検知エリア内に入り、点検対象のセンサが開閉検知センサである場合には、窓や扉を開閉する等を行って、点検対象のセンサを作動させる。その後、作業者は、蓄積された履歴情報を確認して、て全てのセンサから検知信号が送信されてきたか否かを確認することにより、センサの点検を行っている。
【０００４】
また、特許文献３の技術では、作業者が点検のためにセンサを作動させると、センサから検知信号が制御装置に送信された後、その検知信号が制御装置から作業者が所持する携帯端末に送信されるものであり、これにより、センサの作動状況を作業者が確認することができる。
【先行技術文献】
【特許文献】
【０００５】
【特許文献１】特開平９−１３４４９０号公報
【特許文献２】特開２０００−２３５６９０号公報
【特許文献３】特開２００３−２０８６８３号公報
【発明の概要】
【発明が解決しようとする課題】
【０００６】
しかしながら、このような従来技術には以下のような問題がある。特許文献１、特許文献２の技術では、点検対象の全てのセンサが作動したか否かを点検することが可能であるが、次のような接続ミスを点検により発見することは困難である。
【０００７】
すなわち、制御装置は、接続されたセンサの識別を、センサを接続した入力端子またはセンサからの検知信号とともに送信されてくるセンサの識別情報により判断している。複数のセンサを制御装置に接続する場合に、センサを、正しい入力端子と異なる入力端子に誤って接続してしまった場合、またはセンサに識別情報を設定した後、他のセンサと入れ替えて接続した場合、あるいは制御装置本体での識別情報の登録を誤った場合等、いずれの場合においても履歴情報には全てのセンサから検知信号が送信されてきたという記録が行われるため、上記のような接続ミスを検出できない可能性がある。
【０００８】
また、特許文献３の技術では、センサを作動させると、直ちに作業者の携帯端末に作動結果としての検知信号が送信されるので、設定等の誤りを確認することが期待できる。特に、警備対象において、作業者が一人で作業を行う場合であれば、任意のセンサのみを作動させることができ、設定等の誤りを確認することが可能である。
【０００９】
しかしながら、警備対象物件の新築工事や改装工事と同時に警備システムの導入工事を行う場合があり、このような場合には、作業者以外の関係者も警備対象物件に出入するので、これらの関係者によりセンサが作動してしまい、作業員の携帯端末に作動結果が送信されてきても、作業者が作動させたものか、関係者が作動させたものかを判別することは困難であり、設定等の誤りを検出することが困難である。
【００１０】
本発明は、上記に鑑みてなされたものであって、監視システムの導入または変更の際の点検作業において、センサ等の検知装置の作動点検とともに、個々に検知装置と監視装置との接続が正常か否かを検出することができる監視装置、監視システム及び点検方法を提供することを主な目的とする。
【課題を解決するための手段】
【００１１】
上述した課題を解決し、目的を達成するために、本発明にかかる監視装置は、監視領域内の異常を検知した場合に、識別情報を含む検知信号を送信する複数の検知装置に接続された監視装置であって、前記複数の検知装置の点検を行う際に、前記複数の検知装置の中で点検対象の検知装置の設定を行う設定部と、前記複数の検知装置のそれぞれから前記検知信号を受信する通信部と、受信した検知信号に含まれる識別情報が、前記点検対象の識別情報と一致するか否かを判断する判断部と、前記受信した検知信号に含まれる識別情報が、前記点検対象の識別情報と一致する場合に、前記点検対象の検知装置の点検結果が正常と判断し、前記受信した検知信号に含まれる識別情報が、前記点検対象の識別情報と異なる場合には、前記受信した検知信号を無視する点検部と、前記点検対象の検知装置の設定時点から、所定時間を計時するタイマと、を備え、前記判断部は、前記所定時間の経過前は、前記検知信号を受信しても、受信した検知信号を無視すること、を特徴とする。
【００１２】
本発明にかかる監視システムは、監視装置と、前記監視装置と双方向で通信可能に接続され、監視領域内の異常を検知した場合に、識別情報を含む検知信号を送信する複数の検知装置とを備えた監視システムであって、前記監視装置は、前記複数の検知装置の点検を行う際に、前記複数の検知装置の中で点検対象の１または複数の検知装置および点検順番の設定を行う設定部と、点検を行う際に、前記点検順番で、順次、前記点検対象の検知装置に対して点検対象である旨を送信するとともに、前記複数の検知装置のそれぞれから前記検知信号を受信する通信部と、受信した検知信号に含まれる識別情報が、前記点検対象の識別情報と一致するか否かを判断する判断部と、前記受信した検知信号に含まれる識別情報が、前記点検対象の識別情報と一致する場合に、前記点検対象の検知装置の点検結果が正常と判断し、前記受信した検知信号に含まれる識別情報が、前記点検対象の識別情報と異なる場合には、前記受信した検知信号を無視する点検部と、を備え、前記検知装置は、監視領域内の異常を検知するセンサと、点灯部と、前記監視装置から点検対象である旨を受信した場合に、前記点灯部を点灯させる制御部と、を備えたことを特徴とする。
【００１３】
本発明にかかる監視システムは、監視装置と、前記監視装置と双方向で通信可能に接続され、監視領域内の異常を検知した場合に、識別情報を含む検知信号を送信する複数の検知装置とを備えた監視システムであって、前記監視装置は、前記複数の検知装置の点検を行う際に、前記複数の検知装置の中で点検対象の検知装置の設定を行う設定部と、前記点検対象の検知装置に対して点検開始の旨または所定の制御信号を送信し、前記複数の検知装置のそれぞれから前記検知信号を受信する通信部と、受信した検知信号に含まれる識別情報が、前記点検対象の識別情報と一致するか否かを判断する判断部と、前記受信した検知信号に含まれる識別情報が、前記点検対象の識別情報と一致する場合に、前記点検対象の検知装置の点検結果が正常と判断し、前記受信した検知信号に含まれる識別情報が、前記点検対象の識別情報と異なる場合には、前記受信した検知信号を無視する点検部と、を備え、前記検知装置は、監視領域内の異常を検知するセンサと、点灯部と、前記監視装置から点検開始の旨を受信し、かつ前記センサが異常を検知した場合に、前記点灯部を点灯させ、前記監視装置から前記制御信号を受信した場合に、前記制御信号に基づく制御を行う制御部と、を備えたことを特徴とする。
【００１４】
本発明にかかる点検方法は、監視領域内の異常を検知した場合に、識別情報を含む検知信号を送信する複数の検知装置に接続された監視装置で実行される点検方法であって、設定部が、前記複数の検知装置の点検を行う際に、前記複数の検知装置の中で点検対象の検知装置の設定を行う設定ステップと、通信部が、前記複数の検知装置のそれぞれから前記検知信号を受信する通信ステップと、タイマが、前記点検対象の検知装置の設定時点から、所定時間を計時する計測ステップと、判断部が、受信した検知信号に含まれる識別情報が、前記点検対象の識別情報と一致するか否かを判断すると共に、前記所定時間の経過前は、前記検知信号を受信しても、受信した検知信号を無視する判断ステップと、点検部が、前記受信した検知信号に含まれる識別情報が、前記点検対象の識別情報と一致する場合に、前記点検対象の検知装置の点検結果が正常と判断し、前記受信した検知信号に含まれる識別情報が、前記点検対象の識別情報と異なる場合には、前記受信した検知信号を無視する点検ステップと、を含むことを特徴とする。
【発明の効果】
【００１５】
本発明によれば、監視システムの導入または変更の際の点検作業において、センサ等の検知装置の作動点検とともに、個々に検知装置と監視装置との接続が正常か否かを検出することができるという効果を奏する。
【００１６】
また、本発明によれば、作業者以外の者が点検対象の検知装置以外の検知装置を作動させた場合でも、点検対象の検知装置の点検を正確に行うことができるという効果を奏する。
【図面の簡単な説明】
【００１７】
【図１】図１は、実施の形態１の監視システムの構成および監視装置の機能的構成を示すブロック図である。
【図２】図２は、センサテーブルの一例を示す説明図である。
【図３】図３は、実施の形態１のセンサユニットの機能的構成を示すブロック図である。
【図４】図４は、実施の形態１の点検処理の手順を示すフローチャートである。
【図５】図５は、実施の形態２の監視システムの構成および監視装置の機能的構成を示すブロック図である。
【図６】図６は、実施の形態２のセンサユニットの機能的構成を示すブロック図である。
【図７】図７は、実施の形態２の監視装置側の点検処理の手順を示すフローチャートである。
【図８】図８は、実施の形態２のセンサユニット側の点灯処理の手順を示すフローチャートである。
【図９】図９は、実施の形態３の監視システムの構成および監視装置の機能的構成を示すブロック図である。
【図１０】図１０は、実施の形態３の監視装置による点検処理の手順を示すフローチャートである。
【図１１】図１１は、実施の形態３の変形例の監視装置による点検処理の手順を示すフローチャートである。
【図１２】図１２は、実施の形態４の監視システムの構成および監視装置の機能的構成を示すブロック図である。
【図１３】図１３は、実施の形態４の監視装置による点検処理の手順を示すフローチャートである。
【図１４】図１４は、実施の形態５の監視システムの構成および監視装置の機能的構成を示すブロック図である。
【図１５】図１５は、実施の形態５のセンサユニットの機能的構成を示すブロック図である。
【図１６】図１６は、実施の形態５の監視装置による点検処理の手順を示すフローチャートである。
【図１７】図１７は、実施の形態５のセンサユニットにおける点灯処理の手順を示すフローチャートである。
【発明を実施するための形態】
【００１８】
以下に添付図面を参照して、この発明にかかる監視装置、監視システム及び点検方法の実施の形態を詳細に説明する。
【００１９】
（実施の形態１）
本実施の形態の監視システムは、監視システムの導入または変更の際の点検作業において、個々にセンサユニットと監視装置との接続が正確に行われているかを確認可能とし、かつ作業者以外の者が存在する場合にも、順次点検を実行可能とするため、点検モードに設定した場合に、点検対象のセンサユニット以外のセンサユニットからの検知信号を無視している。
【００２０】
図１は、実施の形態１の監視システムの構成および監視装置の機能的構成を示すブロック図である。本実施の形態の監視システムは、図１に示すように、監視装置１００と、監視装置１００に接続された複数のセンサユニット３００とを備えた構成となっている。
【００２１】
監視装置１００は、図１に示すように、モード切替部１０１と、点検部１０３と、判断部１０５と、通信部１０７と、設定部１２０と、操作表示部１３０と、メモリ１１０とを主に備えている。
【００２２】
操作表示部１３０は、液晶表示パネルや操作ボタン等から構成され、作業者に対して各種画面を表示するとともに、作業者から各種操作の入力を受け付ける。本実施の形態では、操作表示部１３０は、作業者から点検モードの指定、点検対象のセンサユニット３００の指定を受け付ける。点検対象のセンサユニット３００の指定は、点検対象のセンサユニット３００の識別情報であるセンサＩＤを入力することにより行われる。
【００２３】
モード切替部１０１は、作業者の操作表示部１３０からの指示により、監視装置１００の動作モードを切り替える、具体的には、モード切替部１０１は、監視装置１００の動作モードを、通常モードと、センサユニット３００の点検を行うモードである点検モードに切り替える。この他、モード切替部１０１は、監視装置の動作モードを、警備設定モードと警備解除モードとの間で切り替える。
【００２４】
設定部１２０は、作業者によって操作表示部１３０から入力された、点検対象のセンサユニット３００のセンサＩＤを、メモリ１１０に点検対象センサ設定１１３として保存する。
【００２５】
メモリ１１０には、点検対象センサ設定１１３の他、予めセンサテーブル１１１が記憶されている。図２は、センサテーブル１１１の一例を示す説明図である。図２に示すように、センサテーブル１１１は、センサユニット３００のセンサＩＤとセンサユニット３００を接続した監視装置１００側の端子の番号とを対応して登録したデータである。
【００２６】
図１に戻り、通信部１０７は、複数のセンサユニット３００との各種通信を行う。本実施の形態では、監視装置１００と複数のセンサユニット３００のそれぞれは、双方向に通信可能となっており、監視装置１００は、センサユニット３００のそれぞれから検知信号を受信し、複数のセンサユニット３００のそれぞれに対して各種制御信号を送信可能である。
【００２７】
判断部１０５は、通信部１０７で受信したセンサユニット３００からの検知信号に含まれるセンサＩＤが、点検対象センサ設定１１３に設定されている点検対象のセンサＩＤと一致するか否かを判断する。
【００２８】
点検部１０３は、受信した検知信号に含まれるセンサＩＤが、点検対象のセンサＩＤと一致する場合には、点検対象のセンサユニット３００の点検結果が正常と判断する。一方、点検部１０３は、受信した検知信号に含まれるセンサＩＤが、点検対象のセンサＩＤと異なる場合、すなわち、点検対象のセンサユニット３００以外のセンサユニット３００からの検知信号である場合には、この検知信号を無視する。
【００２９】
図３は、センサユニット３００の機能的構成を示すブロック図である。センサユニット１〜ｎのいずれも同様の構成を備えている。センサユニット３００は、図３に示すように、センサ３０１と、通信部３０３と、制御部３０５とを備えている。
【００３０】
センサ３０１は、監視領域内で所定の検知を行う。例えば、センサ３０１は、人体検知センサや開閉検知センサ等である。
【００３１】
通信部３０３は、監視装置１００と双方向で各種通信を行うものである。具体的には、通信部３０３は、センサ３０１が所定の検知を行った場合に、自己のセンサＩＤを含む検知信号を監視装置１００に送信する。また、通信部３０３は、監視装置１００から各種制御情報を受信する。制御部３０５は、監視装置１００からの各種制御信号に基づいた制御を行う。
【００３２】
次に、以上のように構成された本実施の形態の監視システムによるセンサユニット３００の点検処理について説明する。図４は、実施の形態１の点検処理の手順を示すフローチャートである。
【００３３】
作業者は、複数のセンサユニット３００の点検作業を開始する場合には、操作表示部１３０から点検モードへの切替え指示を入力する。すると、監視装置１００のモード切替部１０１は、動作モードを通常モードから点検モードに切替え、これにより監視装置１００は、点検モードに移行する（ステップＳ１１）。
【００３４】
次に、作業者は操作表示部１３０から、点検対象のセンサユニット３００のセンサＩＤを入力し、これにより設定部１２０は、入力された点検対象のセンサＩＤをメモリ１１０の点検対象センサ設定１１３に設定する（ステップＳ１２）。これにより、監視装置１００は、複数のセンサユニット３００からの検知信号の受信待ち状態となる（ステップＳ１３，Ｓ１３：Ｎｏ）。
【００３５】
そして、作業者は、点検対象のセンサユニット３００の場所に移動し、点検対象のセンサユニット３００のセンサ３０１を作動させる。例えば、点検対象のセンサユニット３００のセンサ３０１が人体検知センサの場合には、検知エリア内に入り、点検対象のセンサ３０１が開閉検知センサである場合には、窓や扉を開閉する等を行う。その後、作業者は監視装置１００の場所に戻る。
【００３６】
監視装置１００の通信部１０７が複数のセンサユニット３００のいずれかから検知信号を受信したら（ステップＳ１３：Ｙｅｓ）、判断部１０５は受信した検知信号からセンサＩＤを取得する（ステップＳ１４）。そして、判断部１０５、点検対象センサ設定１１３を参照して、検知信号のセンサＩＤが点検対象のセンサユニット３００のセンサＩＤと一致するか否かを判断する（ステップＳ１５）。
【００３７】
そして、検知信号のセンサＩＤが点検対象のセンサユニット３００のセンサＩＤと一致しない場合には（ステップＳ１５：Ｎｏ）、点検部１０３は、受信した検知信号は点検対象のセンサユニット３００以外のセンサユニット３００からの検知信号と判断して、受信した検知信号を無視する。
【００３８】
一方、検知信号のセンサＩＤが点検対象のセンサユニット３００のセンサＩＤと一致する場合には（ステップＳ１５：Ｙｅｓ）、点検部１０３は、受信した検知信号は点検対象のセンサユニット３００からの検知信号と判断して、点検結果を正常と判断する（ステップＳ１６）。点検部１０３は、この点検結果を操作表示部１３０に表示する。
【００３９】
上記のような処理は、複数のセンサユニット３００のそれぞれに対して行われる。この場合、すべてのセンサユニット３００の点検を終了してから、まとめて点検結果を操作表示部１３０に表示するように構成してもよい。
【００４０】
このように本実施の形態では、監視装置１００は、点検対象のセンサユニット３００以外のセンサユニット３００からの検知信号を無視しているので、監視システムの導入または変更の際の点検作業において、センサユニット３００の作動点検とともに、個々にセンサユニット３００と監視装置１００との接続が正常か否かを検出することができる。
【００４１】
また、本実施の形態では、このように点検対象のセンサユニット３００以外のセンサユニット３００からの検知信号を無視しているので、作業者以外の者が点検対象のセンサユニット３００以外のセンサユニット３００を作動させた場合でも、点検対象のセンサユニット３００の点検を正確に行うことができる。
【００４２】
なお、本実施の形態では、センサユニット３００が監視装置１００と双方向通信可能となっているが、これに限定されるものではなく、センサユニット３００から監視装置１００へ検知信号を送信可能であればよい。
【００４３】
（実施の形態２）
実施の形態１では、点検作業者は、各センサユニット３００を作動させた後、毎回、監視装置１００まで戻り、点検対象のセンサユニット３００を指定することが必要である。この実施の形態２では、多数のセンサユニットの点検を行う場合に、監視装置でセンサユニットの点検順番を設定して点検対象の旨をセンサユニットに送信し、センサユニット側で点検対象となった場合にＬＥＤを点灯させることにより、作業者が毎回、監視装置１００に戻らずともすべてのセンサユニットの点検を可能とするものである。
【００４４】
図５は、実施の形態２の監視システムの構成および監視装置の機能的構成を示すブロック図である。本実施の形態の監視システムは、図５に示すように、監視装置５００と、監視装置５００に接続された複数のセンサユニット６００とを備えた構成となっている。
【００４５】
監視装置５００は、図５に示すように、モード切替部１０１と、点検部１０３と、判断部１０５と、通信部５０７と、設定部５２０と、操作表示部１３０と、メモリ１１０とを主に備えている。
【００４６】
ここで、モード切替部１０１、点検部１０３、判断部１０５、操作表示部１３０、メモリ１１０の機能、構成については実施の形態１と同様である。
【００４７】
ただし、操作表示部１３０は、作業者から点検対象とする複数のセンサユニット３００のセンサＩＤとその点検順番の指示を最初に一括して受け付ける。
【００４８】
設定部５２０は、入力された、点検対象とする複数のセンサユニット３００のセンサＩＤとその点検順番を点検対象センサ設定１１３に設定する。
【００４９】
通信部５０７は、点検モードに移行した際に、点検対象センサ設定１１３に設定された点検順番で、順次、点検対象のセンサユニット３００に対して点検対象である旨を送信する。
【００５０】
図６は、実施の形態２のセンサユニット６００の機能的構成を示すブロック図である。本実施の形態のセンサユニット６００も、実施の形態１と同様に、監視装置５００と双方向通信が可能である。センサユニット１〜ｎのいずれも同様の構成を備えている。センサユニット６００は、図６に示すように、センサ３０１と、通信部３０３と、制御部６０５と、点灯部としてのＬＥＤ（Ｌｉｇｈｔ  Ｅｍｉｔｔｉｎｇ  Ｄｉｏｄｅ）６１０を備えている。ここで、センサ３０１、通信部３０３は、実施の形態１と同様である。ただし、通信部３０３は、監視装置５００から、自己が点検対象である旨の通知を受信する。
【００５１】
制御部６０５は、実施の形態１と同様の機能を有する他、監視装置５００から点検対象である旨の通知を受信した場合に、ＬＥＤ６１０を点灯させる制御を行う。これにより、作業者は、ＬＥＤ６１０が点灯しているセンサユニット６００が現在、点検対象であることを認識することができる。
【００５２】
次に、以上のように構成された本実施の形態の監視システムによるセンサユニット６００の点検処理について説明する。図７は、実施の形態２の監視装置５００側の点検処理の手順を示すフローチャートである。
【００５３】
実施の形態１と同様に、作業者は、複数のセンサユニット６００の点検作業を開始する場合には、操作表示部１３０から点検モードへの切替え指示を入力すると、監視装置５００のモード切替部１０１は、動作モードを通常モードから点検モードに切替え、これにより監視装置５００は、点検モードに移行する（ステップＳ１１）。
【００５４】
次に、作業者は操作表示部１３０から、点検対象とする複数のセンサユニット６００のセンサＩＤとその点検順番を入力し、これにより設定部５２０は、入力された点検対象の複数のセンサＩＤとその点検順番をメモリ１１０の点検対象センサ設定１１３に設定する（ステップＳ３１）。
【００５５】
次に、通信部５０７は、点検対象センサ設定１１３に設定されている点検順番で、点検対象のセンサＩＤのセンサユニット６００の一つに点検対象である旨の通知を送信する（ステップＳ３２）。
【００５６】
すなわち、本実施の形態では、ステップＳ３２からＳ１６まで処理を、点検対象センサ設定１１３に設定された複数のセンサユニット６００の数分繰り返すが、通信部５０７は、繰り返しの１回の処理ごとに、初回の処理では１番目、２回目の処理では２番目等のように、上記点検順番に従って、点検対象のセンサＩＤのセンサユニット６００の一つに点検対象である旨の通知を送信する。これにより、点検順番で順次、点検対象のセンサユニット６００のＬＥＤ６１０を点灯することになり、自己が点検対象であることを作業者に認識させることができる。なお、センサユニット６００におけるＬＥＤ６１０の点灯処理の詳細については後述する。
【００５７】
そして、監視装置５００は、複数のセンサユニット６００からの検知信号の受信待ち状態となる（ステップＳ１３，Ｓ１３：Ｎｏ）。
【００５８】
作業者は、センサユニット６００の現在の点検対象のＬＥＤ６１０が点灯しているので、その点灯しているセンサユニット６００の現在の点検対象の場所に移動し、センサユニット６００の現在の点検対象のセンサ３０１を作動させる。ここで、作業者は、監視装置５００の場所に戻る必要はない。
【００５９】
監視装置５００による、検知信号の受信から点検結果の判断までの処理（ステップＳ１３〜Ｓ１６）は実施の形態１と同様に行われる。
【００６０】
このようなステップＳ３２からＳ１６までの処理は、点検対象センサ設定１１３に設定された複数のセンサユニット６００の数分繰り返し実行される。作業者は、監視装置５００の場所に戻らずに、次にＬＥＤ６１０が点灯しているセンサユニット６００の場所に移動する。
【００６１】
すべての点検対象のセンサユニット６００の点検を終了したら、監視装置５００の点検部１０３は、各センサユニット６００の点検結果をまとめて操作表示部１３０に表示する。作業者はすべての点検対象のセンサユニット６００の作動を終了してから、監視装置５００の場所に戻り、この点検結果を確認すればよい。
【００６２】
図８は、実施の形態２のセンサユニット６００における点灯処理の手順を示すフローチャートである。センサユニット６００では、監視装置５００から送信された点検対象の旨の通知を通信部３０３で受信すると（ステップＳ４１：Ｙｅｓ）、制御部６０５はＬＥＤ６１０を点灯させる（ステップＳ４２）。その後、センサ３０１が物体を検知すると（ステップＳ４３：Ｙｅｓ）、通信部３０３は、センサＩＤを含む検知信号を監視装置５００に送信する（ステップＳ４４）。
【００６３】
このように本実施の形態では、監視装置５００で点検対象の複数のセンサユニット６００とその点検順番を設定して点検対象の旨をセンサユニット６００に送信し、センサユニット側で点検対象となった場合にＬＥＤ６１０を点灯させているので、実施の形態１の効果に加え、作業者が毎回、監視装置５００に戻らずともすべてのセンサユニット６００の点検を可能とし、作業者の便宜となる。
【００６４】
なお、作業者が携帯端末を所持し、携帯端末から監視装置５００に点検対象のセンサユニット６００のセンサＩＤと点検順番を指定する信号を送信して、設定部５２０が受信した、点検対象のセンサユニット６００のセンサＩＤと点検順番を点検対象センサ設定１１３に設定するように構成してもよい。
【００６５】
また、センサユニット６００の制御部６０５は、点検対象である場合と、点検対象以外の場合とで、ＬＥＤ６１０の点灯表示形態を切り替えるように構成してもよい。例えば、点検対象以外の場合には、センサ３０１で人を検知するなどしてもＬＥＤ６１０を点灯させず、点検対象である場合にセンサ３０１で人を検知等した場合にＬＥＤ６１０を点灯（点滅）させるように構成することができる。これにより、作業者に対して、そのセンサユニット６００が点検対象のセンサユニット６００であることと、センサユニット６００の検知状況とを、その場で知らせることができる。
【００６６】
また、センサユニット６００において、点検対象の場合はＬＥＤ６１０を消灯し、点検対象でかつセンサ３０１で何も検知していない場合にはＬＥＤ６１０の点灯し、点検対象でかつセンサ３０１が物体を検知している場合にはＬＥＤ６１０を点滅させる等のように点灯形態を変化させて、センサユニット６００の状態を知らせたり、点灯するＬＥＤ６１０の色を変化させて状態を知らせるように制御部６０５を構成してもよい。
【００６７】
（実施の形態３）
実施の形態１、２では、作業者が監視装置の場所で点検モードに切替えてから、点検対象のセンサユニットに移動するまでの間に、他の関係者をセンサユニットが検知してしまうと、結局、何を検知してセンサユニットが作動したのかが不明となる。このため、この実施の形態３の監視装置では、点検対象のセンサユニットの指定を行ってから所定時間はすべてのセンサユニットからの検知信号を無視し、所定時間経過後に、点検対象のセンサユニットからの検知信号のみを点検対象として、作業者がセンサユニットの設置場所に移動した後、点検対象のセンサユニットを作動させることが可能となる。
【００６８】
図９は、実施の形態３の監視システムの構成および監視装置の機能的構成を示すブロック図である。本実施の形態の監視システムは、図９に示すように、監視装置９００と、監視装置９００に接続された複数のセンサユニット６００とを備えた構成となっている。
【００６９】
監視装置９００は、図９に示すように、タイマ９０１と、モード切替部１０１と、点検部１０３と、判断部９０５と、通信部５０７と、設定部５２０と、操作表示部１３０と、メモリ１１０とを主に備えている。
【００７０】
ここで、モード切替部１０１、点検部１０３、操作表示部１３０、設定部５２０、メモリ１１０の機能、構成については実施の形態１または２と同様である。また、センサユニット６００の機能、構成は実施の形態２と同様である。
【００７１】
タイマ９０１は、点検対象のセンサユニット６００の設定時点から、所定のタイマ時間を計時する。ここで、所定のタイマ時間は、監視装置９００からセンサユニット６００までの距離や移動時間に応じて任意に設定可能であり、例えば、３０秒などと設定することができる。
【００７２】
判断部９０５は、タイマ９０１で設定されたタイマ時間の経過前は、検知信号を受信しても、受信した検知信号を無視する。すなわち、判断部９０５は、タイマ時間の経過前はすべてのセンサユニット６００から検知信号を無視する。そして、判断部９０５は、タイマ時間の経過後は、実施の形態１、２と同様に、センサユニット６００の現在の点検対象以外のセンサユニット６００からの検知信号を無視し、センサユニット６００の現在の点検対象からの検知信号のみを受け付ける。
【００７３】
次に、以上のように構成された本実施の形態の監視システムによるセンサユニット６００の点検処理について説明する。図１０は、実施の形態３の監視装置９００による点検処理の手順を示すフローチャートである。
【００７４】
実施の形態１と同様に、点検モードへの移行（ステップＳ１１）、点検対象のセンサＩＤの設定（ステップＳ１２）が行われたら、タイマ９０１が起動する（ステップＳ５１）。そして、監視装置９００は、複数のセンサユニット６００からの検知信号の受信待ち状態となる（ステップＳ１３，Ｓ１３：Ｎｏ）。
【００７５】
通信部５０７により検知信号を受信した場合（ステップＳ１３：Ｙｅｓ）、判断部９０５は、タイマ９０１で設定されたタイマ時間が経過しているか否かを判断する（ステップＳ５２）。そして、タイマ時間の経過前であれば（ステップＳ５２：Ｎｏ）、ステップＳ１３へ戻り、判断部９０５は、ステップＳ１３で受信した検知信号を無視する。
【００７６】
一方、ステップＳ５２でタイマ時間が経過している場合には（ステップＳ５２：Ｙｅｓ）、判断部９０５は、この検知信号を無視せず、実施の形態１と同様に検知信号からセンサＩＤを取得し（ステップＳ１４）、実施の形態１と同様に、ステップＳ１５，Ｓ１６の処理を実行して、センサユニット６００の現在の点検対象以外のセンサユニット６００からの検知信号を無視する。
【００７７】
このように本実施の形態では、監視装置９００において、センサユニット６００の次の点検対象の指定を行ってから所定時間経過前はすべてのセンサユニット６００からの検知信号を無視し、所定時間経過後に、センサユニット６００の当該次の点検対象からの検知信号のみを点検対象としているので、作業者がセンサユニット６００の当該次の点検対象の設置場所に移動した後、センサユニット６００の当該次の点検対象を作動させることが可能となり、作業者がセンサユニット６００の当該次の点検対象の設置場所に移動する前に、作業者以外の関係者がセンサユニット６００の当該次の点検対象を作動させた場合でも、センサユニット６００の当該次の点検対象の点検をより正確に行うことができる。 
【００７８】
（変形例）
点検対象の複数のセンサユニット６００を点検対象とする場合には、タイマ時間ごとに順次、センサユニット１、センサユニット２と検知信号を受け付けるよう構成とし、作業者は、センサユニット１から順番にセンサユニットｎまで移動しながら点検を行うようにしてもよい。
【００７９】
この場合、タイマ９０１を、点検対象の複数のセンサユニット６００のそれぞれの点検開始の時点からタイマ時間を計時するように構成する。
【００８０】
また、判断部９０５を、点検対象の複数のセンサユニット６００のそれぞれの点検開始からタイマ時間経過前は、検知信号を受信しても、受信した検知信号を無視するように構成する。
【００８１】
図１１は、実施の形態３の変形例の監視装置９００による点検処理の手順を示すフローチャートである。
【００８２】
実施の形態２と同様に、点検モードへの移行（ステップＳ１１）、点検対象のセンサＩＤおよび点検順番の設定（ステップＳ３１）が行われたら、実施の形態３と同様に、タイマ９０１が起動する（ステップＳ５１）。このタイマ起動から点検終了までの処理（ステップＳ５１〜Ｓ１６）は、点検対象のセンサユニット６００の数分繰り返し実行される。この場合、次のタイマ起動（ステップＳ５１）のタイミングは、センサユニット６００の現在の点検対象の点検結果が判断された時点（ステップＳ１６）の後のセンサユニット６００の次の点検対象の点検開始の時点である。なお、タイマ起動から点検終了までの処理（ステップＳ５１〜Ｓ１６）は、実施の形態３と同様に行われる。
【００８３】
このように本変形例では、タイマ時間ごとに順次、センサユニット１、センサユニット２と検知信号を受け付けているので、作業者は、センサユニット１から順番にセンサユニットｎまで移動しながら点検を行うことができ、実施の形態３と同様の効果を奏する他、作業者の便宜となる。
【００８４】
（実施の形態４）
この実施の形態４では、作業者が携帯端末を所持し、監視装置が点検モードに移行すると全てのセンサユニットからの検知信号を無視し、作業者の携帯端末から監視装置に点検対象のセンサユニットのセンサＩＤを受信してから、点検対象のセンサユニットからの検知信号を受け付け、作業者が点検対象のセンサユニットの設置場所に移動した後、そのセンサユニットの点検を実行できるようにしている。
【００８５】
図１２は、実施の形態４の監視システムの構成および監視装置の機能的構成を示すブロック図である。本実施の形態の監視システムは、図１２に示すように、監視装置１２００と、監視装置１２００に接続された複数のセンサユニット６００と、さらに監視装置にネットワークで接続された携帯端末１３００とを備えた構成となっている。この携帯端末１３００は、作業者が所持するものであり、例えば、携帯電話やＰＤＡ（Ｐｅｒｓｏｎａｌ  Ｄｉｇｉｔａｌ  Ａｓｓｉｓｔａｎｔｓ）あるいはタブレット端末等が該当するがこれらに限定されるものではない。
【００８６】
携帯端末１３００は、作業者から、点検対象のセンサユニット６００のセンサＩＤの入力を受け付け、入力されたセンサＩＤを監視装置１２００にネットワークを介して送信する。
【００８７】
監視装置１２００は、図１２に示すように。モード切替部１０１と、点検部１０３と、判断部１２０５と、通信部１２０７と、設定部１２０と、操作表示部１３０と、メモリ１１０とを主に備えている。
【００８８】
ここで、モード切替部１０１、点検部１０３、操作表示部１３０、設定部１２０、メモリ１１０の機能、構成については実施の形態１と同様である。また、センサユニット６００の機能、構成は実施の形態２と同様である。
【００８９】
通信部１２０７は、実施の形態１と同様の機能の他、ネットワークに接続された携帯端末１３００から点検対象のセンサユニット６００のセンサＩＤの指定を受信する。受信したセンサＩＤは、設定部１２０により、メモリ１１０の点検対象センサ設定１１３に登録される。
【００９０】
判断部１２０５は、携帯端末１３００から点検対象のセンサユニット６００のセンサＩＤの指定の受信があるまでは、センサユニット６００から検知信号を受信しても無視する。すなわち、判断部１２０５は、携帯端末１３００から点検対象のセンサユニット６００のセンサＩＤの指定の受信があるまでは、すべてのセンサユニット６００からの検知信号を無視する。そして、判断部１２０５は、センサＩＤの指定の受信後は、実施の形態１、２と同様に、点検対象のセンサユニット６００以外のセンサユニット６００からの検知信号を無視し、点検対象のセンサユニット６００からの検知信号のみを受け付ける。
【００９１】
次に、以上のように構成された本実施の形態の監視システムによるセンサユニット６００の点検処理について説明する。図１３は、実施の形態４の監視装置１２００による点検処理の手順を示すフローチャートである。
【００９２】
実施の形態１と同様に、点検モードへの移行を行ったら（ステップＳ１１）、通信部１２０７は、携帯端末１３００から、点検対象のセンサユニット６００のセンサＩＤの受信待ち状態となる（ステップＳ６１）。センサＩＤを受信していない間に（ステップＳ６１：Ｎｏ）、センサユニット６００から検知信号を受信した場合でも、判断部１２０５は、受信した検知信号を無視する（ステップＳ６２）。
【００９３】
そして、通信部１２０７が、携帯端末１３００から点検対象のセンサユニット６００のセンサＩＤを受信した場合には（ステップＳ６１：Ｙｅｓ）、設定部１２０は、受信したセンサＩＤを点検対象センサ設定１１３に登録する（ステップＳ１２）。これ以降の処理（ステップＳ１３〜Ｓ１６）は実施の形態１と同様に行われる。
【００９４】
このように本実施の形態では、監視装置１２００において、点検モードに移行すると全てのセンサユニット６００からの検知信号を無視し、作業者の携帯端末１３００から点検対象のセンサユニット６００のセンサＩＤを受信してから、点検対象のセンサユニット６００からの検知信号を受け付けているので、実施の形態１と同様の効果を奏する他、作業者が点検対象のセンサユニット６００の設置場所に移動した後、そのセンサユニット６００の点検を実行できるようになり、作業者の便宜となる。
【００９５】
（実施の形態５）
実施の形態５は、監視装置とセンサユニットの間で双方向通信を行い、センサユニット側で監視装置からの制御信号に基づいて、検知信号の出力の可否の切替え、点検対象のセンサユニットである旨のＬＥＤの点灯を行い、点検開始後に物体を検知するとＬＥＤ表示で知らせるものである。
【００９６】
図１４は、実施の形態５の監視システムの構成および監視装置の機能的構成を示すブロック図である。本実施の形態の監視システムは、図１４に示すように、監視装置１４００と、監視装置１４００に接続された複数のセンサユニット１５００と、監視装置１４００にネットワークで接続された携帯端末１３００とを備えた構成となっている。ここで、携帯端末１３００の機能、構成は実施の形態４と同様である。
【００９７】
監視装置１４００は、図１４に示すように、モード切替部１０１と、点検部１０３と、判断部１２０５と、通信部１４０７と、設定部１２０と、操作表示部１３０と、メモリ１１０とを主に備えている。
【００９８】
通信部１４０７は、実施の形態４と同様の機能を有する他、点検対象のセンサユニット１５００に対して点検モードの旨の通知を送信する。また、通信部１４０７は、現在の警備モード（警備設定モード、警備解除モード等）や各種制御信号をセンサユニット１５００に送信する。
【００９９】
図１５は、実施の形態５のセンサユニット１５００の機能的構成を示すブロック図である。本実施の形態のセンサユニット１５００は、図１５に示すように、センサ３０１と、通信部３０３と、制御部１５０５と、ＬＥＤ６１０とを備えている。ここで、センサ３０１、通信部３０３、ＬＥＤ６１０の機能、構成は実施の形態２、４と同様である。
【０１００】
制御部１５０５は、通信部３０３により、監視装置１４００から点検モードの旨の通知を受信し、かつセンサ３０１により検知が行われた場合に、ＬＥＤ６１０を点灯させる。
【０１０１】
また、制御部１５０５は、通信部３０３により監視装置１４００から現在の警備モードの通知を受信した場合に、センサ３０１により検知が行われた場合に検知信号を送信するか否かの決定を行う。例えば、通信部３０３が監視装置１４００から現在の警備モードとして警備設定モードを受信した場合には、制御部１５０５は、センサ３０１が検知した場合に、通信部３０３により監視装置１４００に検知信号を送信することを決定する。一方、通信部３０３が監視装置１００から現在の警備モードとして警備解除モードを受信した場合には、制御部１５０５は、センサ３０１が検知した場合でも検知信号を送信しない旨を決定する。
【０１０２】
このように構成することで、監視装置１４００が警備解除モードである場合に、センサユニット１５００からの検知信号を受信しなくなるため、監視装置１４００側における警備解除モード時の検知信号の受信、警報出力の判断の処理が不要となるという利点がある。
【０１０３】
次に、以上のように構成された本実施の形態の監視システムによるセンサユニット１５００の点検処理について説明する。図１６は、実施の形態５の監視装置１４００による点検処理の手順を示すフローチャートである。
【０１０４】
実施の形態１と同様に、点検モードへの移行を行ったら（ステップＳ１１）、通信部１１４０７は、実施の形態４と同様に、携帯端末１３００から、点検対象のセンサユニット６００のセンサＩＤの受信待ち状態となる（ステップＳ６１）。センサＩＤを受信していない間に（ステップＳ６１：Ｎｏ）、センサユニット６００から検知信号を受信した場合でも、判断部１２０５は、受信した検知信号を無視する（ステップＳ６２）。
【０１０５】
そして、通信部１４０７が、携帯端末１３００から点検対象のセンサユニット６００のセンサＩＤを受信した場合には（ステップＳ６１：Ｙｅｓ）、設定部１２０は、受信したセンサＩＤを点検対象センサ設定１１３に登録する（ステップＳ１２）。
【０１０６】
次に、通信部１４０７は、点検対象のセンサユニット１５００に対して、点検モードの旨の通知を送信する（ステップＳ７１）。これ以降の処理（ステップＳ１３〜Ｓ１６）は実施の形態１と同様に行われる。
【０１０７】
図１７は、実施の形態５のセンサユニット１５００における点灯処理の手順を示すフローチャートである。センサユニット１５００では、監視装置１４００から送信された点検モードの旨の通知を通信部３０３で受信すると（ステップＳ８１：Ｙｅｓ）、センサ３０１は検知待ち状態となる（ステップＳ８２，Ｓ８２：Ｎｏ）。
【０１０８】
そして、センサ３０１が物体等を検知すると（ステップＳ８２：Ｙｅｓ）、制御部１５０５は、ＬＥＤ６１０を点灯させる（ステップＳ８３）。そして、通信部３０３は、センサＩＤを含む検知信号を監視装置１４００に送信する（ステップＳ８４）。
【０１０９】
このように本実施の形態では、センサユニット１５００側で監視装置１４００からの制御信号に基づいて、検知信号の出力の可否の切替え、点検対象のセンサユニット１５００である旨のＬＥＤの点灯を行い、点検開始後に物体を検知するとＬＥＤ表示で知らせるので、実施の形態４と同様の効果を奏する他、作業者にとって便宜となる。
【０１１０】
なお、本実施の形態では、携帯端末１３００から監視装置１４００に点検対象のセンサユニット１５００の指定を行い、監視装置１４００から指定されたセンサユニット１５００に点検モードである旨の通知や各種制御信号の送信を行っているが、携帯端末１３００から直接、センサユニット１５００に点検モードである旨の通知や各種制御信号の送信を行って、センサユニット１５００にトリガを与えて点検を行うように構成してもよい。
【０１１１】
なお、本発明は、上述した実施の形態に限定されるものではなく、種々の変形が可能である。
【符号の説明】
【０１１２】
１００，５００，９００，１２００，１４００  監視装置
１０１  モード切替部
１０３  点検部
１０５，９０５，１２０５  判断部
１０７、５０７，１２０７，１４０７  通信部
１１０  メモリ
１１１  センサテーブル
１１３  点検対象センサ設定
１２０，５２０  設定部
１３０  操作表示部
１３００  携帯端末
３００，６００，１５００  センサユニット
３０１  センサ
３０３  通信部
３０５，６０５，１５０５  制御部
６１０  ＬＥＤ
９０１  タイマ
【図１】
0005711028.tif 000002
【図２】
0005711028.tif 000003
【図３】
0005711028.tif 000004
【図４】
0005711028.tif 000005
【図５】
0005711028.tif 000006
【図６】
0005711028.tif 000007
【図７】
0005711028.tif 000008
【図８】
0005711028.tif 000009
【図９】
0005711028.tif 000010
【図１０】
0005711028.tif 000011
【図１１】
0005711028.tif 000012
【図１２】
0005711028.tif 000013
【図１３】
0005711028.tif 000014
【図１４】
0005711028.tif 000015
【図１５】
0005711028.tif 000016
【図１６】
0005711028.tif 000017
【図１７】
0005711028.tif 000018